(57)【要約】【課題】本発明のカメラによれば、撮影レンズを内蔵するレンズ鏡胴を沈胴位置から繰出位置に移動する際に要する時間の短縮を、モータなどの駆動部にかかる負荷を抑制しながら図ることができる。【解決手段】カムピンを、付勢部材による付勢力により沈胴端から繰出端に繰出させる繰出案内路を設けた。【選択図】        図３
2004294825.tif 000002
【特許請求の範囲】
【請求項１】
撮影レンズを内蔵し該撮像レンズをカム機構を介して所定の繰出位置と所定の沈胴位置との間で移動させるレンズ鏡胴を備え、前記撮影レンズを繰出位置に繰出した状態で撮影を行なうカメラにおいて、
前記撮影レンズを繰出方向に付勢する付勢部材を備え、
前記カム機構が、カムピンと該カムピンに嵌入され該カムピンを案内する閉ループ上のカム構とを有し、該カム溝が、前記カムピンを案内することで、前記撮影レンズを、前記付勢部材による付勢力により沈胴位置から繰出位置に繰り出させる繰出案内路と、該繰出案内路の繰出端に連続し、該繰出端に位置するカムピンを前記レンズ鏡胴の所定の第１の回転方向への回転に応じて案内することで前記撮影レンズを繰出位置から沈胴位置に沈胴させる沈胴案内路と、該沈胴案内路の沈胴端と前記繰出案内路の沈胴端とを繋ぎ、該沈胴案内路の沈胴端にあるカムピンを、前記レンズ鏡胴の、前記第１の回転方向とは逆の第２の回転方向への回転に応じて、前記撮影レンズを沈胴位置に保ったまま該繰出案内路の沈胴端に近づいた初期位置に案内すると共に、撮影準備にあたっては前記レンズ鏡胴を前記第２の回転方向に回転させることで該初期位置にあるカムピンを該繰出案内路の沈胴端まで案内する待機案内路とからなるカム溝であることを特徴とするカメラ。
【請求項２】
前記沈胴案内路が、前記カムピンを案内することで、前記撮影レンズを所定の固定ピント位置に移動させるピント調整案内路を含むものであることを特徴とする請求項１記載のカメラ。
【請求項３】
前記沈胴案内路が、カムピンを案内することで、前記撮影レンズを被写体距離に応じたピント位置に移動させるピント調整案内路を含むものであることを特徴とする請求項１記載のカメラ。
【請求項４】
前記沈胴案内路の、少なくとも沈胴端近傍の部分が該沈胴端に向かって徐々に浅く形成されると共に該沈胴端が該沈胴端近傍の部分に対し段差をもって深く形成されことにより、該沈胴端に案内されたカムピンの、該沈胴案内路に沿った逆移動が防止されたものであることを特徴とする請求項１記載のカメラ。
【請求項５】
前記繰出案内路にカムピンが案内されて、前記撮影レンズが繰出位置に繰り出したときの衝撃を緩和する緩衝材を備えたことを特徴とする請求項１記載のカメラ。
【発明の詳細な説明】
【０００１】
【発明の属する技術分野】
本発明は、撮影レンズを内蔵し該撮像レンズをカム機構を介して所定の繰出位置と所定の沈胴位置との間で移動させるレンズ鏡胴を備え、前記撮影レンズを繰出位置に繰出した状態で撮影を行なうカメラに関する。
【０００２】
【従来の技術】
従来より、不使用時にはレンズ鏡胴を沈胴させて厚みを薄くする工夫がなされたカメラが提案されている（例えば、特許文献１参照。）。
【０００３】
上記提案では、単焦点レンズを構成する第１レンズ群および第２レンズ群を内蔵するレンズ鏡胴を沈胴すると共に、レンズ群間を撮影可能な距離以下に縮めることで薄厚化が図られる一方、使用時には、レンズ鏡胴が沈胴位置からカメラ前方側の繰出位置までカムピンおよびカム溝からなるカム機構で繰り出され、レンズ群を撮影可能な距離に離間させた後で撮影が行なわれる。
【０００４】
【特許文献１】
特開平６−２５８７０２号公報
【０００５】
【発明が解決しようとする課題】
ところが、上記のようなタイプのカメラでは、光軸方向に対し斜めに設けられたカム溝に嵌入されているカムピンがそのカム溝の一方の壁に押し付けられながら、撮影レンズを内蔵するレンズ鏡胴が上記沈胴位置から繰出位置まで繰り出されており、レンズ鏡胴の沈胴位置から繰出位置までの繰り出しには、常にモータの回転駆動を必要とすることから繰り出しに時間がかかり、咄嗟の撮影には不向きである。
【０００６】
本発明は、上記事情に鑑み、撮影レンズを内蔵するレンズ鏡胴を沈胴位置から繰出位置に移動する際に要する時間の短縮が図られたカメラを提供することを目的とする。
【０００７】
【課題を解決するための手段】
上記目的を達成するための本発明のカメラは、
撮影レンズを内蔵しこの撮像レンズをカム機構を介して所定の繰出位置と所定の沈胴位置との間で移動させるレンズ鏡胴を備え、上記撮影レンズを繰出位置に繰出した状態で撮影を行なうカメラにおいて、
上記撮影レンズを繰出方向に付勢する付勢部材を備え、
上記カム機構が、カムピンとこのカムピンに嵌入されこのカムピンを案内する閉ループ上のカム構とを有し、このカム溝が、上記カムピンを案内することで、上記撮影レンズを、上記付勢部材による付勢力により沈胴位置から繰出位置に繰り出させる繰出案内路と、この繰出案内路の繰出端に連続し、この繰出端に位置するカムピンを上記レンズ鏡胴の所定の第１の回転方向への回転に応じて案内することで上記撮影レンズを繰出位置から沈胴位置に沈胴させる沈胴案内路と、この沈胴案内路の沈胴端と上記繰出案内路の沈胴端とを繋ぎ、この沈胴案内路の沈胴端にあるカムピンを、上記レンズ鏡胴の、上記第１の回転方向とは逆の第２の回転方向への回転に応じて、上記撮影レンズを沈胴位置に保ったままこの繰出案内路の沈胴端に近づいた初期位置に案内すると共に、撮影準備にあたっては上記レンズ鏡胴を上記第２の回転方向に回転させることでこの初期位置にあるカムピンをこの繰出案内路の沈胴端まで案内する待機案内路とからなるカム溝であることを特徴とする。
【０００８】
本発明のカメラでは、撮影準備にあたっては、待機案内路上の初期位置にあるカムピンが、レンズ鏡胴の第２の回転方向への回転により、付勢部材による付勢力によりカムピンを沈胴位置から繰出位置に繰出させる繰出案内路に案内される。これにより、カムピンは、付勢部材による付勢力で繰出案内路の沈胴端から繰出端に移動することとなり、従来の、レンズ鏡胴を構成する回転部材と直動部材の組み合わせによってカムピンを移動させる方法と比べ、撮影レンズを内蔵するレンズ鏡胴を沈胴位置から繰出位置にすばやく移動させることができる。
【０００９】
ここで、上記沈胴案内路が、上記カムピンを案内することで、上記撮影レンズを所定の固定ピント位置に移動させるピント調整案内路を含むものであってよい。
【００１０】
本発明のカメラでは、繰出位置に繰り出すことによって所定の距離にピントを合わせるようにしても良いが、上記のピント調整案内路を有する構成とすることにより所定の距離に正確にピントを合わせることができる、
あるいは、上記沈胴案内路が、カムピンを案内することで、上記撮影レンズを被写体距離に応じたピント位置に移動させるピント調整案内路を含むものであってもよい。
【００１１】
このように、本発明は、連続した、あるいはステップ的に変化したような距離にピントを合わせる様に構成することもできる。
【００１２】
また、上記沈胴案内路の、少なくとも沈胴端近傍の部分がこの沈胴端に向かって徐々に浅く形成されるとともにこの沈胴端がこの沈胴胴端近傍の部分に対し段差をもって深く形成されことにより、この沈胴端に案内されたカムピンの、この沈胴案内路に沿った逆移動が防止されたものであることが好ましい。
【００１３】
このようにすると、沈胴胴案内路の沈胴端においてカムピンを待機案内路内の初期位置に向かわせるためにレンズ鏡胴の回動が反転された場合に、カムピンが誤って待機案内路ではなく沈胴案内路の繰出端方向に向かってしまうという事態を防止することができる。
【００１４】
ここで、上記繰出案内路にカムピンが案内されて、上記撮影レンズが繰出位置に繰り出したときの衝撃を緩和する緩衝材を備えたものであることが好ましい。
【００１５】
このようにすると、付勢部材による付勢力による部材どうしの衝突による破損を防止することができる。
【００１６】
【発明の実施の形態】
以下、本発明の実施形態について説明する。
【００１７】
図１および図２は、本発明のカメラの第１実施形態の外観斜視図である。
【００１８】
図１に示される本実施形態であるデジタルカメラ１は、不使用時には単焦点レンズ１１ａを内蔵するレンズ保持筒１１がカメラ内部に収納される、ＣＣＤ固体撮像素子上に結像された被写体像を表わす画像データを得る撮影を行なうデジタルカメラである。
【００１９】
図１には、カメラ１が不使用状態、すなわちレンズ保持筒１１がカメラ内部に収納されている様子が示されている。
【００２０】
また、図１には、筐体２、フラッシュ発光窓１２、レリーズボタン１３、およびファインダ対物窓１４が示されている。
【００２１】
図２には、レンズ保持筒１１が繰り出された状態のカメラ１が示されている。尚、このカメラ１の電源スイッチの図示は省略されている。
【００２２】
図３は、図１および図２に示すカメラの縦断面図である。
【００２３】
図３には、レンズ保持筒１１をカメラ内部に収納した状態のカメラ１の縦断面をカメラ左側から見た場合の様子が示されており、左側が被写体側となっている。
【００２４】
また、図３には、ＣＣＤ固体撮像素子３０、レンズ保持筒１１を指示する、上部ガイドポール２０および下部ガイドポール２１、レンズ保持筒１１の上部に設けられたカムフォロアピン１１１が嵌入されるカム溝を有する回転筒１０、モータ５０、このモータ５０の駆動力を回転筒１０に伝達するギア５１、モータの回転に応じてパルスを発生するパルスジェネレータ６０、レンズ保持筒１１をカメラ前方側に付勢するバネ４０、バネ４０および２本のガイドポールが取り付けられているマウント８０、および、レンズ保持筒１１がカメラ前方側に移動し筐体２と衝突する際に発生するショックを和らげるための緩衝材７０も示されている。
【００２５】
さらに、図３には、回転筒１０から突出している突出部１０ａおよび、この突出部１０ａを挟むように配置されているフォトインタラプタ９０も示されている。尚、パルスジェネレータ６０、回転筒１０に設けられているカム溝の形状、突出部１０ａ、およびフォトインタラプタ９０についての詳細は後述する。
【００２６】
図３に示すレンズ保持筒１１は、上述した上部ガイドポール２０と下部ガイドポール２１とによって貫通されてその上下が支持されていると共に、このレンズ保持筒１１上部の第１ガイドポールが挿通される部分の厚みは、レンズ保持筒下部の第２ガイドポール２１が挿通される部分の厚みよりも厚く形成されている。これにより、このカメラ１では、カムフォロアピン１１１が上方の１箇所にしか立設されていなくても上述のカム機構によりスムーズに撮影レンズを光軸方向に移動させることができる。
【００２７】
以下、レンズ保持筒１１の光軸方向への移動についての概略を説明する。
【００２８】
図４は、レンズ保持筒に備えられたカムフォロアピン、回転筒、およびフォトインタラプタを示す図である。尚、回転筒１０に設けられているカム溝およびカムフォロアピンは、回転筒の表面からは目視できないため、本来であれば点線で表示すべきところであるが、ここでは説明の便宜のために実線で示されている。
【００２９】
図４（ａ）から図４（ｄ）には、この回転筒１０の回転によるカムフォロアピン１１１の光軸方向への移動の様子が示されている。つまり、カム溝を有する回転筒１０が回転しても、そのカム溝にカムフォロアピン１１１が嵌入されているレンズ保持筒１１は、上下２本のガイドポールによって回転が防止されているために回転筒１０の回転方向に応じて光軸方向に直動する。尚、図４（ａ）から図４（ｂ）には、回転筒１０が図３に示すギア５１と噛合する部分である被ギア部１０ｂが示されている。
【００３０】
ここで、便宜上、図４（ａ）の状態、すなわち撮影を終えて電源がオフされ、レンズ保持筒１１が所定の沈胴位置に向かって繰り込まれてきたところから説明を始める。
【００３１】
電源がオフされたことにより、回転筒１０がＢ方向に回転されたことで、図４（ａ）に示す位置にあったカムフォロアピン１１１は、図３に示すバネの被写体側への付勢に抗しながら沈胴方向に直動し、カム溝の角１００ａに到達する。図４（ｂ）には、所定の方法でカムフォロアピンがこの角１００ａに到達したことが図示しないセンサによって検知され、回転筒１０が今度は逆回転、すなわちＡ方向に回転し始めた時のカムフォロアピン１１１の状態が示されている。
【００３２】
図５は、図４（ｂ）に示された状態の、回転筒の突出部およびフォトインタラプタの様子を‘Ｘ’から見た場合の図である。
【００３３】
図５には、カムフォロアピン１１１が図４（ｂ）に示される位置への到達と同期して突出部１０ａがフォトインタラプタ９０に検知され始めている様子が示されている。尚、このフォトインタラプタ９０は、光の遮断状態をその中心部で監視している。
【００３４】
また、図５には、突出部１０ａの中心とフォトインタラプタ９０の中心とのなす角度θが−αであることが示されている。
【００３５】
ここで、図６は、角度θに対するフォトインタラプタの出力を示す図である。
【００３６】
図６には、角度θが−αになると同時にフォトインタラプタ９０からの出力が変化する様子が示されている。
【００３７】
このカメラ１では、さらに、カムフォロアピン１１１が図４（ｂ）に示される位置に到達したことによりフォトインタラプタ９０による検知がなされたことに同期して、パルスジェネレータから出力されるパルスをカウントするパルスカウンタ（不図示）のリセットが行なわれ、カウント値が予め設定されている所定の値となるまで回転筒１０のＡ方向への回転がなされる。図４（ｃ）には、その所定のカウント値に到達した直後のカムフォロアピン１１１の状態が示されており、このカメラ１では、電源のオフ後もカウント値が予め設定されている所定の値となるまで回転筒１０のＡ方向への回転を行なってからカメラ動作を停止するようになっている。
【００３８】
カムフォロアピン１１１が図４（ｃ）に示す位置に留まっている状態のカメラ１において電源がオンされると、まず回転筒１０はＡ方向にしばらく回転される。そうすると、カムフォロアピン１１１がカム溝の角１００ｂに到達すると同時に、レンズ保持筒１１は、図３に示されるバネの付勢によって一気にカメラ前方側に直動する。
【００３９】
図４（ｄ）には、図示しないセンサによってカムフォロアピンがカメラ前方側の角１００ｃに到達したことが検知され、回転筒１０がＢ方向に回転し始めた直後のカムフォロアピン１１１の状態が示されている。
【００４０】
図７は、図４（ｄ）に示された状態の、回転筒の突出部およびフォトインタラプタの様子を‘Ｙ’から見た場合の図である。
【００４１】
図７には、カムフォロアピン１１１の図４（ｄ）に示される位置への到達と同期して突出部１０ａがフォトインタラプタ９０に検知され始めている様子が示されている。
【００４２】
尚、図６には、角度θが＋αになると同時にフォトインタラプタの出力が変化している様子も示されている。
【００４３】
このカメラ１では、さらに、カムフォロアピン１１１の図４（ｄ）に示される位置への到達がフォトインタラプタ９０によって検知されると同時に前述したパルスカウンタのリセットが行なわれ、詳しくは後述するピント調節を精密に行うことができる。このカメラ１では、被写体までの距離に応じたピント調節が行われた後撮影が行われ、電源がオフされると、上述したメカニズムでレンズ保持筒１１の沈胴が行なわれる。
【００４４】
ここで、図４に示すカム溝の詳細について説明する。
【００４５】
図８は、カムフォロアピンの、回転筒に設けられたカム溝における動作の様子を示す図である。尚、図４と同様、ここでも、カム溝は実線で描かれている。
【００４６】
図８（ａ）に示すカム溝は、繰出案内溝Ｓ、沈胴案内溝Ｔ、および待機案内溝Ｕからなる３つの案内溝で構成されており、沈胴案内溝Ｔの一部には、ピント調節溝が設けられている。尚、図８では、カム溝におけるカムフォロアピンの移動が相対的に表わされている。
【００４７】
繰出案内溝Ｓは、光軸方向と平行に延びた溝であり、前述したように、カムフォロアピン１１１がこの繰出案内溝の沈胴側の角１００ｂに到達することで、レンズ保持筒１１は、自身に与えられているバネ４０の付勢によりこの繰出案内溝の繰出側の角１００ｃに一気に移動させられる。
【００４８】
沈胴案内溝Ｔは、繰出案内溝の繰出側の角１００ｃから沈胴側の角１００ａに至るまでレンズ保持筒１１の曲面に沿って延びる、前述したピント調節溝ｔ部分の端部１００ｄで光軸に対する傾きが変化している溝である。
【００４９】
待機案内溝Ｕは、光軸方向と略垂直方向にレンズ保持筒１１の曲面に沿って延びる溝である。
【００５０】
図８（ｂ）には、時間経過に伴う回転筒１０の回転角度の変化が折れ線で示されている。
【００５１】
図４における説明と同様、撮影が終了しピント調節溝にいたカムフォロアピン１１１が、電源オフと共に、図８（ａ）に示す沈胴案内溝Ｔのカムフォロピン位置マル１にさしかかったところから説明を始める。
【００５２】
回転筒１０がＢ方向に回転していることでカムフォロアピン１１１は、カムフォロアピン位置マル１からカムフォロアピン位置マル２（１００ａ）にさらに移動する。カムフォロアピンがカムフォロアピン位置マル２に到達したことが不図示のセンサによって検知されると、それに応じて、回転筒１０は今度はＡ方向に回転される。その後、カムフォロアピン１１１が、カムフォロアピン位置マル３に到達すると、図６において示されるように、フォトインタラプタ９０の出力が‘Ｈ’から‘Ｌ’に変化するため、これを合図にパルスジェネレータ６０から出力されるパルスをカウントしているパルスカウンタのカウンタリセットが行なわれる。その後、回転筒１０は、カウンタリセットが行なわれたカウンタが予め決められているカウント値に到達するまでＡ方向への回転を続け、その後全ての動作を停止する。これにより、このカメラ１では、カムフォロアピン１１１がカムフォロアピン位置マル５に位置した状態で全てのカメラ動作が停止される。
【００５３】
上述した状態のカメラ１の電源がオンされると、回転筒１０はＡ方向に回転し始め、カムフォロアピン１１１はカムフォロアピン位置マル６（１００ｂ）に到達する。これにより、カムフォロアピン１１１は、カムフォロアピン位置マル６からバネの付勢により一気にカムフォロアピン位置マル７（１００ｃ）に移動する。カムフォロアピン１１１がカムフォロアピン位置マル７に到達したことが不図示のセンサによって検知されると、回転筒１０はＢ方向に回転され、これによりカムフォロアピン１１１がカムフォロアピン位置マル８に移動すると、カムフォロアピン１１１がカムフォロアピン位置マル２からカムフォロアピン位置マル３に移動したときと同様に、フォトインタラプタ９０の出力が‘Ｈ’から‘Ｌ’に変化するため、これを合図に、パルスジェネレータ６０から出力されるパルスをカウントしているカウンタのリセットが行なわれる。その後、撮像素子上に結像される被写体像のコントラストの比較によるピント位置の検出が、カムフォロアピン１１１をピント調整溝ｔを移動させることで行なわれ、決定されたピント位置に撮影レンズが移動した後撮影が行なわれる。撮影が終了し、電源がオフされると、このカメラ１は、回転筒１０をＢ方向に回転させることで沈胴動作に入る。尚、図８（ｂ）には、カムフォロアピン１１１がカムフォロアピン位置マル１０に位置している時にオフされ場合が示されている。
【００５４】
以上説明したように、このカメラ１では、沈胴位置から繰出位置までの移動を、沈胴動作によって蓄えられたバネ付勢力を利用して行なっており、これにより、撮影レンズを沈胴位置から繰出位置にまで繰り出す際に要する時間の短縮を図ることができる。
【００５５】
図９は、図３に示すレンズ保持筒の上部に設けられたカムフォロアピンの詳細構成図である。尚、図９には、カムフォロアピン１１１のほかに、上部ガイドポール２０も示されている。
【００５６】
図９に示すカムフォロアピン１１１は、レンズ保持筒１１の上部に設けられた穴１１ａに、ネジ止めされており、カムフォロアピン１１１の中心には、このネジ１１３を挿通させると共にネジ１１３の頭部を埋没させるために途中で径が変化する孔１１１ａが形成されている。尚、レンズ保持筒１１の上部の穴１１ａに嵌め込まれているカムフォロアピン１１１と穴１１ａの底部との間にはバネ１１２が挟み込まれた状態でネジ止めがなされている。
【００５７】
図１０は、図８に示す‘Ｚ’からカム溝を見た場合の透視図である。
【００５８】
図１０の左側がカメラ前方側であり、実線は、回転筒１０の内周面１０ｅを示している。
【００５９】
図１０には、図８に示す沈胴案内溝Ｔおよび待機案内溝Ｕなどが示されており、沈胴案内溝Ｔの一部であるピント調節溝ｔも示されている。
【００６０】
また、図１０には、回転筒１０の内部から内周側表面に向かうスロープＴ１も示されており、このスロープＴ１により、溝の深さは沈胴側に進むにつれて浅くなっている。このため、沈胴案内溝Ｔをピント調節溝ｔの方から移動してきたカムフォロアピン１１１は、沈胴側に移動するに従い、このスロープＴ１によって、図９において説明したその構造によって次第にへこまされることとなる。また、このスロープＴ１の端部Ｔ１１は、待機案内溝Ｕの側面Ｕ１に繋がっており、、カムフォロアピン１１１がカムフォロアピン位置マル２に到達すると、待機案内溝Ｕの溝の深さがスロープＴ１の端部Ｔ１１の溝の深さにくらべ急激に深くなっていることから、カムフォロアピンは突出した状態に戻る。したがって、このカメラ１によれば、回転筒１０が、図８（ａ）のカムフォロアピン位置マル２に示す位置において、それまでのＢ方向への回転をＡ方向への回転に切り換えても、カムフォロアピン１１１が誤って沈胴案内溝Ｔをピント調節溝ｔ方向に逆行してしまうことを防止することができる。
【００６１】
次に、本発明のカメラの第２実施形態について説明する。
【００６２】
本実施形態のカメラと第１実施形態のカメラ１との相違点は、カム溝のうちのピント調節溝の形状が変更されている点のみである。
【００６３】
図１１は、第２実施形態のカメラのカム溝を回転筒の表面から見た場合の透視図である。
【００６４】
図１１に示すカム溝のうち、繰出案内溝Ｓおよび待機案内溝Ｕは、第１実施形態と同じ形状であるので説明は省略する。尚、図１１に示されているもので図８において示されているものと同じ形状を有するものは、図８において付されている符号と同じ符号が付されている。
【００６５】
図１１に示す沈胴案内溝Ｔ´のピント調節溝ｔ´は、図８ではピント調節溝ｔに相当する部分が待機案内溝Ｕと平行な溝となっており、本実施形態のカメラは、待機案内溝Ｕと平行なピント調節溝ｔ´にカムフォロアピン１１１を移動させることで、カメラから所定の距離離れた被写体に対する撮影を行なうためのカメラとなっており、撮影は、カムフォロアピンがピント調節溝ｔ´の範囲内であればいずれの位置に存在しても構わないため、第１実施形態のようにこの範囲における精密なカムフォロアピン位置の把握は必要ない。したがって、第１実施形態において行なわれているカムフォロアピン位置マル３におけるカウンタリセットのみを残し、カムフォロアピン位置マル８におけるカウンタリセットは省略されている。
【００６６】
本実施形態のカメラによっても、撮影レンズを沈胴位置から繰出位置にまで繰り出す際に要する時間の短縮を図ることができる。この第２実施形態では、繰出案内溝Ｓの繰出端から多少沈胴端側に戻った位置にピント調節溝が設けられているが、これは所定の距離に正確にピントを合わせるためであり、さほど精度が必要でない場合には、繰出端から沈胴端側に戻らずに待機案内溝Ｕと平行なピント調節溝ｔ´を設けてもよい。
【００６７】
尚、第１実施形態および第２実施形態では、デジタルカメラを例に挙げて説明したが、本発明はこれに限るものではなく、カム溝およびカムフォロアピン構成されるカム機構を利用して、撮影レンズを所定の沈胴状態と所定の繰出位置との間で移動させるレンズ鏡胴を有するカメラであれば、通常のロールフィルムに写真撮影を行なうタイプのカメラであってもよい。
【００６８】
【発明の効果】
以上説明したように、本発明のカメラによれば、撮影レンズを内蔵するレンズ鏡胴の、所定の沈胴位置から所定の繰出位置までの繰り出しに要する時間を短縮することができる。
【図面の簡単な説明】
【図１】本発明のカメラの第１実施形態の外観斜視図である。
【図２】本発明のカメラの第１実施形態の外観斜視図である。
【図３】図１および図２示すカメラの縦断面図である。
【図４】レンズ保持筒に備えられたカムフォロアピン、回転筒、およびフォトインタラプタを示す図である。
【図５】図４（ｂ）に示された状態の、回転筒の突出部およびフォトインタラプタの様子を‘Ｘ’から見た場合の図である。
【図６】角度θに対するフォトインタラプタの出力を示す図である。
【図７】図４（ｄ）に示された状態の、回転筒の突出部およびフォトインタラプタの様子を‘Ｙ’から見た場合の図である。
【図８】カムフォロアピンの、回転筒に設けられたカム溝における動作の様子を示す図である。
【図９】図３に示すレンズ保持筒の上部に設けられたカムフォロアピンの詳細構成図である。
【図１０】図８に示す‘Ｚ’からカム溝を見た場合の透視図である。
【図１１】第２実施形態のカメラのカム溝を回転筒の表面から見た場合の透視図である。
【符号の説明】
１  カメラ
２  筐体
１０  回転筒
１０ａ  突出部
１０ｂ  被ギア部
１０ｅ  内周面
１１  レンズ保持筒
１１ａ  単焦点レンズ
１１１  カムフォロアピン
１１１ａ  孔
１１２、４０  バネ
１１３  ネジ
１２  フラッシュ発光窓
１３  レリーズボタン
１４  ファインダ対物窓
２０  上部ガイドポール
２１  下部ガイドポール
３０  ＣＣＤ固体撮像素子
４０  バネ
５０  モータ
５１  ギア
６０  パルスジェネレータ
７０  緩衝材
８０  マウント
９０  フォトインタラプタ
【図１】
2004294825.tif 000003
【図２】
2004294825.tif 000004
【図３】
2004294825.tif 000005
【図４】
2004294825.tif 000006
【図５】
2004294825.tif 000007
【図６】
2004294825.tif 000008
【図７】
2004294825.tif 000009
【図８】
2004294825.tif 000010
【図９】
2004294825.tif 000011
【図１０】
2004294825.tif 000012
【図１１】
2004294825.tif 000013